(57)【要約】【課題】電力供給の「瞬断」トラブルを的確に防止することができ、かつ電池電力を効率良く取り出すことができる、構造簡単な電池接点機構を提供する。【解決手段】並列配備された複数の電池それぞれの、一方の電極に導電性の接点を圧接させて、これらの電池を他方の電極の方向に付勢する付勢部材を備えた電池接点機構において、回動自在に支持された軸体４に同軸上に、電池と同数のねじりコイルバネ５ａ，５ｂを捲回するとともに、軸体４に絶縁性材料からなるレバー２ａ，２ｂを設ける。これらのレバーには、先端部が接点３ａ−１，３ｂ−１となっている、高導電性金属材料からなる接点部材３ａ，３ｂをあらかじめ設ける。ねじりコイルバネの付勢力に基づく軸体４の回動により、それぞれの接点部材の接点を電池１ａ，１ｂの一方の電極に同時に圧接させる。【選択図】図４
2005251527.tif 000002
【特許請求の範囲】
【請求項１】
電池の一方の電極に導電性の接点部材を圧接させて該電池を他方の電極の方向に付勢する電池接点機構において、ねじりコイルバネと、該ねじりコイルバネにより回動力を付与される接点部材とを備え、該接点部材は、ねじりコイルバネとは別体の部材として設けられていることを特徴とする電池接点機構。
【請求項２】
電池の一方の電極に導電性の接点部材を圧接させて該電池を他方の電極の方向に付勢する付勢部材を備えた電池接点機構において、回動自在に支持された軸体と、該軸体に設けられて該軸体と一体に回動自在な絶縁性材料からなるレバーと、該レバーに設けられて該レバーと一体に回動自在な接点部材と、前記軸体に捲回されてこれに回動力を付与する、前記付勢部材としてのねじりコイルバネとを備えていることを特徴とする電池接点機構。
【請求項３】
並列配置された複数の電池それぞれの一方の電極に導電性の接点部材を圧接させて該電池を他方の電極の方向に付勢する付勢部材を備えた電池接点機構において、回動自在に支持された軸体と、該軸体に同軸上に前記電池と同数が捲回されて回動力を前記軸体に付与する、前記付勢部材としてのねじりコイルバネと、前記軸体に前記ねじりコイルバネと同数設けられ絶縁性材料からなるレバーと、該レバーのそれぞれに設けられて、該レバーと一体回動自在となっている接点部材とを備え、
前記ねじりコイルバネの付勢力に基づく前記軸体の回動により、それぞれの接点部材がレバーと一体で回動し、それぞれ対応する電池の一方の電極に前記接点部材が圧接することを特徴とする電池接点機構。
【請求項４】
前記接点部材が高導電性金属材料であることを特徴とする請求項１，２または３に記載の電池接点機構。
【請求項５】
電池収納用の空間を備え、かつ該空間に着脱自在に並列状態で収納される複数の電池と同数の接点を有する電池接点機構および、前記電池と同数の逆接点を有する電池接片を備えた電池収納室を設けてなり、
前記電池接点機構は、前記電池収納室に回動自在に支持された１本の軸体と、該軸体に同軸上に前記電池と同数が捲回されて回動力を前記軸体に付与するねじりコイルバネと、前記軸体に前記ねじりコイルバネと同数設けられ、前記軸体の近傍に位置する基端部から伸延する絶縁性材料からなるレバーと、該レバーの前記基端部に設けられ絶縁性材料からなる複数の突起と、前記レバーに設けられ基端部が前記軸体の近傍に位置し、先端部が電池電極への前記接点となっている金属製の接点部材とを備え、かつ前記ねじりコイルバネから付与される前記軸体の回動力により、それぞれの接点部材の接点を、対応する電池の一方の電極に圧接させるとともに、それぞれの電池の他方の電極を前記電池接片の各逆接点に圧接させるものであり、
さらに当該電池接点機構は、前記レバーの前記基端部に設けられた前記複数の突起同士間の間隙に挿入係止され、一端部が前記接点部材の基端部に半田付けされ、かつ他端部がパワー基板に接続されたリード線を備えている、
ことを特徴とする電池収納構造。
【請求項６】
複数の電池を直列状態で着脱自在に収納する電池収納用の空間を備え、かつ一つの接点を有する電池接点機構および、一つの逆接点を有する電池接片を備えた電池収納室を設けてなり、
前記電池接点機構は、前記電池収納室に回動自在に支持された１本の軸体と、該軸体に同軸上に捲回されて回動力を前記軸体に付与する一つのねじりコイルバネと、前記軸体に設けられ、前記軸体の近傍に位置する基端部から伸延する絶縁性材料からなる一つのレバーと、該レバーの前記基端部に設けられ絶縁性材料からなる複数の突起と、前記レバーに設けられ基端部が前記軸体の近傍に位置し、先端部が電池電極への前記接点となっている金属製の接点部材とを備え、かつ前記ねじりコイルバネから付与される前記軸体の回動力により、前記接点部材の接点を最寄りの電池の電極に圧接させるとともに、前記接点から最も遠い電池の電極を前記電池接片の逆接点に圧接させるものであり、
さらに当該電池接点機構は、前記レバーの前記基端部に設けられた前記複数の突起同士間の間隙に挿入係止され、一端部が前記接点部材の基端部に半田付けされ、かつ他端部がパワー基板に接続されたリード線を備えている、
ことを特徴とする電池収納構造。
【請求項７】
電池電力を用いる電源装置において、請求項５または６に記載の電池収納構造を備え、該電池収納構造に所定数の電池を所定の態様で収納することにより、これら電池の電力を、前記リード線を介して前記パワー基板に供給するようにしたことを特徴とする電源装置。
【請求項８】
請求項７に記載の電源装置を備えたことを特徴とする電子機器。
【請求項９】
回動自在に支持された軸体と、該軸体に捲回されたねじりコイルバネと、該軸体に設けられたレバーと、該レバーに設けられて該レバーと一体に回動自在な押圧部材とを備え、前記ねじりコイルバネによるレバーの回動力により、前記押圧部材を適宜部材に圧接させるようにしたことを特徴とする圧接機構。
【請求項１０】
前記ねじりコイルバネが複数、前記軸体に同軸上に設けられ、前記押圧部材付きのレバーが、前記ねじりコイルバネと同数、かつ該ねじりコイルバネの近傍に設けられていることを特徴とする請求項９に記載の圧接機構。
【発明の詳細な説明】
【技術分野】
【０００１】
本発明は、ねじりコイルバネを用いた電池接点機構、この電池接点機構を備えた電池収納構造、この電池収納構造を備えた電源装置及び、この電源装置を備えた電子機器並びに、ねじりコイルバネを用いた圧接機構に関するものである。
【背景技術】
【０００２】
最近、デジタルカメラに代表されるように、カメラ等の機器も電池で駆動されるようになってきた。このような、電池を駆動源とする機器においては一般的に、機器本体に設けた電池収納室内に電池を着脱自在に収納する構造となっている。そして、この電池収納室内には、収納された電池を安定して保持するとともに電池の電極方向に配設された接点端子と、この接点端子の方向に電池を付勢する弾性接点部材とが配設されており、収納された電池を弾性接点部材により、前記接点端子方向に付勢している。
ところで、従来の電池収納構造として、例えば図５、図６に示すものがある。
【０００３】
図５の電池収納構造では、電池収納室５０の一端側の壁面にコイルスプリング（円錐コイルバネ）５１の一端部を固定し、コイルスプリング５１の他端部で電池５２を他方側に付勢している。また、コイルスプリング５１の電池収納室５０側の端部を半田５３でリード線５４に接続している。
【０００４】
また、下記特許文献１に開示された、電子機器における電池収納構造は、電池の電極と接触する電池接片部材の寸法を小さくして小型化を図るとともに、電池の電極に対する電池接片部材の押圧力を一定にして、安定した電池電力を取り出すことができるようにすることを目的とするもので、電池接片部材をねじりコイルバネで構成し、該ねじりコイルバネの一端部を電池の電極との接触部としたものである。
【０００５】
具体的には、図６に示すように、電池６３Ａ，６３Ｂを収納するための電池室６５を有する、電子機器（カメラ）６１における電池収納装置６１−１であって、前記電池室６５に収納可能な電池６３Ａ，６３Ｂの電極６３ａ（正電極），６３ｂ（負電極）と接触する電池接片部材をねじりコイルバネ６０Ａ，６０Ｂで構成し、これらねじりコイルバネの一方の端部を前記電極６３ａ，６３ｂとの接触部（電極接触部）６０ａ，６０ａとするとともに、上記ねじりコイルバネの他方の端部を、前記電池の電力を出力するための出力端子部６０ｂ，６０ｂとしたものである。これらの出力部端子にはリード線が半田付けで接続され、該リード線を介して上記電池６３Ａ，６３Ｂの電力をパワー基板に供給するようになっている（図略）。上記ねじりコイルバネは、導電性材料を用いたトーションバネで構成されたものである。なお、図６において、符号６４はカメラのカバー、符号６２，６２は金属製の棒状部材である。これらの棒状部材は上記コイルバネ６０Ａ，６０Ｂの中空部分に挿通されているとともに、該棒状部材の両方の基端部がカバー６４に形成された孔に軸支され、コイルバネの付勢力によって回動自在となっている。
【０００６】
しかしながら、図５、図６に示す従来技術にあっては、電極接触部を電池電極に安定して的確に接触させるとともに、この接触抵抗を低減して電池本来の電力を安定して供給するうえでは改良が必要であった。
例えば、図５の電池収納構造では、コイルスプリング５１が付勢部材と接点部材を兼ねた構造となっているため、強い付勢力と高い導電性の両方を同時に満足することは難しく、電池収納室内で電池の「ふらつき」が発生しやすく、電気的接触つまり導通状態が瞬間的に途切れる「瞬断」を的確に防止するのが困難であった。さらに、図５のように付勢部材がコイルスプリング５１だけであるため、コイルスプリングに充分な付勢力を発生させようとすれば、バネ材料として高い導電性の金属材料を採用することはできないという不都合があるだけでなく、電池電極と電池接点部材の接触箇所から電池接点部材のリード線引き出し箇所または、プリント基板との半田付け箇所までの距離が長くなって抵抗値が大きくなる結果、電池電力を効率良く取り出すことができないという問題があった。
【０００７】
一方、図６に示すのものでは、ねじりコイルバネが付勢部材と接点部材を兼ねた構造となっているため、高い付勢力と、高い導電性の両方を同時に満足することは難しい。高い導電性を得るためには例えばリン青銅にニッケルメッキや金メッキを施す必要があるが、このような金属材料ではバネ定数を高くすることは困難であり、通常使用されているバネ鋼では高いバネ定数は得られるものの、高い導電率を確保することは難しい。
言い換えると、図６の構造にあっては、ねじりコイルバネ６０Ａ，６０Ｂにより強い付勢力が得られるため、上記「瞬断」の問題は解決されるものの、上記バネ６０Ａ，６０Ｂでは高い導電性を得ることが難しいという不具合があった。さらに、図６の構造では、電池６３Ａ，６３Ｂのそれぞれに対応して、ねじりコイルバネ６０Ａ，６０Ｂと棒状部材６２との組み合わせ部材を配備する必要があるため構造が複雑となり、電池収納構造全体の小型化が難しいという問題もあった。
【０００８】
【特許文献１】特開２００２−３７３６３４号公報
【発明の開示】
【発明が解決しようとする課題】
【０００９】
本発明は、従来技術の上記事情に鑑みてなされてものであり、その第１の目的は、簡単な構造により上記電力供給の「瞬断」トラブルを的確に防止することができ、かつ電池電力を効率良く取り出すことができる電池接点機構、この電池接点機構を備えた電池収納構造、この電池収納構造を備えた電源装置及び、この電源装置を備えた電子機器を提供することにある。また、本発明の第２の目的は、ねじりコイルバネを用いた構造簡単な圧接機構を提供することである。
【課題を解決するための手段】
【００１０】
請求項１に係る発明は、電池の一方の電極に導電性の接点部材を圧接させて該電池を他方の電極の方向に付勢する電池接点機構において、ねじりコイルバネ（トーションバネ）と、該ねじりコイルバネにより回動力（付勢力）を付与される接点部材とを備え、該接点部材は、ねじりコイルバネとは別体の部材として設けられていることを特徴とする電池接点機構である。
【００１１】
請求項２に係る発明は、電池の一方の電極に導電性の接点部材を圧接させて該電池を他方の電極の方向に付勢する付勢部材を備えた電池接点機構において、回動自在に支持された軸体と、該軸体に設けられて該軸体と一体に回動自在な絶縁性材料からなるレバーと、該レバーに設けられて該レバーと一体に回動自在な接点部材と、前記軸体に捲回されてこれに回動力（付勢力）を付与する、前記付勢部材としてのねじりコイルバネとを備えていることを特徴とする電池接点機構である。
【００１２】
請求項３に係る発明は、並列配置された複数の電池それぞれの一方の電極に導電性の接点部材を圧接させて該電池を他方の電極の方向に付勢する付勢部材を備えた電池接点機構において、回動自在に支持された軸体と、該軸体に同軸上に前記電池と同数が捲回されて回動力（付勢力）を前記軸体に付与する、前記付勢部材としてのねじりコイルバネと、前記軸体に前記ねじりコイルバネと同数設けられ絶縁性材料からなるレバーと、該レバーのそれぞれに設けられて、該レバーと一体回動自在となっている接点部材とを備え、前記ねじりコイルバネの付勢力に基づく前記軸体の回動により、それぞれの接点部材がレバーと一体で回動し、それぞれ対応する電池の一方の電極に前記接点部材が圧接することを特徴とする電池接点機構である。
【００１３】
請求項４に係る電池接点機構は、前記接点部材が高導電性金属材料（銅、銀、金、白金、ニッケルまたは、これらから選ばれた少なくとも一種の金属を含む合金）であることを特徴とする請求項１，２または３に記載の電池接点機構である。
【００１４】
請求項５に係る発明（図１〜図４を参照）は、
電池収納用の空間を備え、かつ該空間に着脱自在に並列状態で収納される複数の電池１ａ，１ｂ…と同数の接点３ａ−１，３ｂ−１…を有する電池接点機構および、前記電池と同数の逆接点６ａ，６ｂ…を有する電池接片２０を備えた電池収納室を設けてなり、
前記電池接点機構は、前記電池収納室に回動自在に支持された１本の軸体４と、該軸体４に同軸上に前記電池と同数が捲回されて回動力（付勢力）を前記軸体４に付与するねじりコイルバネ５ａ，５ｂ…と、前記軸体４に前記ねじりコイルバネ５ａ，５ｂ…と同数設けられ、前記軸体４の近傍に位置する基端部から伸延する絶縁性材料からなるレバー２ａ，２ｂ…と、該レバーの前記基端部に設けられ絶縁性材料からなる複数の突起９ａ，９ｂ…と、前記レバー２ａ，２ｂ…に設けられ基端部が前記軸体４の近傍に位置し、先端部が電池電極への前記接点３ａ−１，３ｂ−１…となっている金属製の接点部材３ａ，３ｂ…とを備え、
かつ、前記ねじりコイルバネ５ａ，５ｂ…から付与される前記軸体４の回動力により、それぞれの接点部材３ａ，３ｂ…の接点３ａ−１，３ｂ−１…を、対応する電池の一方の電極に圧接させるとともに、それぞれの電池の他方の電極を前記電池接片２０の各逆接点６ａ，６ｂ…に圧接させるものであり、
さらに当該電池接点機構は、前記レバー２ａ，２ｂ…の前記基端部に設けられた前記複数の突起９ａ，９ｂ…同士間の間隙に挿入係止され、一端部が前記接点部材３ａ，３ｂ…の基端部に半田付け１０ａ，１０ｂ…され、かつ他端部がパワー基板に接続されたリード線８ａ，８ｂ…を備えている、
ことを特徴とする電池収納構造である。
【００１５】
請求項６に係る発明は、
複数の電池を直列状態で着脱自在に収納する電池収納用の空間を備え、かつ一つの接点を有する電池接点機構および、一つの逆接点を有する電池接片を備えた電池収納室を設けてなり、
前記電池接点機構は、前記電池収納室に回動自在に支持された１本の軸体と、該軸体に同軸上に捲回されて回動力（付勢力）を前記軸体に付与する一つのねじりコイルバネと、前記軸体に設けられ、前記軸体の近傍に位置する基端部から伸延する絶縁性材料からなる一つのレバーと、該レバーの前記基端部に設けられ絶縁性材料からなる複数の突起と、前記レバーに設けられ基端部が前記軸体の近傍に位置し、先端部が電池電極への前記接点となっている金属製の接点部材とを備え、
かつ、前記ねじりコイルバネから付与される前記軸体の回動力により、前記接点部材の接点を最寄りの電池の電極に圧接させるとともに、前記接点から最も遠い電池の電極を前記電池接片の逆接点に圧接させるものであり、
さらに当該電池接点機構は、前記レバーの前記基端部に設けられた前記複数の突起同士間の間隙に挿入係止され、一端部が前記接点部材の基端部に半田付けされ、かつ他端部がパワー基板に接続されたリード線を備えている、
ことを特徴とする電池収納構造である。
【００１６】
請求項７に係る発明は、電池電力を用いる電源装置において、請求項５または６に記載の電池収納構造を備え、該電池収納構造に所定数の電池を所定の態様で収納することにより、これら電池の電力を、前記リード線を介して前記パワー基板に供給するようにしたことを特徴とする電源装置である。
【００１７】
請求項８に記載の発明は、請求項７に記載の電源装置を備えたことを特徴とする電子機器である。
【００１８】
請求項９に係る発明は、回動自在に支持された軸体と、該軸体に捲回されたねじりコイルバネと、該軸体に設けられたレバーと、該レバーに設けられて該レバーと一体に回動自在な押圧部材とを備え、前記ねじりコイルバネによるレバーの回動力（付勢力）により、前記押圧部材を適宜部材に圧接させるようにしたことを特徴とする圧接機構である。
【００１９】
請求項１０に係る発明は、前記ねじりコイルバネが複数、前記軸体に同軸上に設けられ、前記押圧部材付きのレバーが、前記ねじりコイルバネと同数、かつ該ねじりコイルバネの近傍に設けられていることを特徴とする請求項９に記載の圧接機構である。
【発明の効果】
【００２０】
請求項１に係る電池接点機構では、ねじりコイルバネと、これにより回動力を付与される接点部材とが別体となっているため、接点部材を高導電性（低抵抗性）の金属材料で形成することができる。また、ねじりコイルバネを、高導電性の金属材料で作製する必要がなくなり、大きな付勢力を発生することができる金属材料で構成することが可能となる。さらに、付勢部材がねじりコイルバネであることから、電池全長の多少の相違（電池間の全長ムラ）や、電池の「ふらつき」に対しても、電池を安定して保持することが可能になる。
【００２１】
請求項２に係る発明では、ねじりコイルバネから軸体に回動力を付与することで、接点部材を電池の電極に圧接させるように構成したので、請求項１の発明と同様の効果が得られる。また、上記「瞬断」のトラブルを的確に防止することができるとともに、電池電力を効率良く取り出すことができる。
【００２２】
請求項３に係る発明では、電池と同数のねじりコイルバネを１本の軸体に同軸上に捲回し、これらのバネから軸体に回動力付与することで、並列配置された複数の接点部材を同時に、並列配置された複数の電池の電極に圧接させるようにしたので、簡単な構成により、上記「瞬断」のトラブルを的確に防止することができるうえに、複数の電池の電力を同時に効率良く取り出すことができる。また、接点部材を絶縁性材料からなるレバーに設けて、接点部材を該レバーと一体回動自在としたから、複数の電池の電極がこのレバーを介して互いに導通してしまう不具合はない。
また、上記した図６の電池接点機構では、電池と同数の棒状部材を設け、これら棒状部材のそれぞれに、ねじりコイルバネを捲回した構造となっているため、構造が複雑となるのに対し、本発明では、１本の軸体に複数のねじりコイルバネを捲回した構成としたため、構造が簡単になるだけでなく、軸体の取付けスパンを長くとることができ、さらに安定した軸体の回動動作を得ることができるという効果がある。
【００２３】
請求項４に係る発明では、接点部材が高導電性金属材料からなるため、電池電力を特に高い効率で取り出すことができる。
【００２４】
請求項５に係る発明および請求項６に係る発明では、所定の構成としたので、上記請求項３の発明による場合と同様の効果が得られる電池収納構造を提供することができる。また、電力取出し用のリード線は軸体の回動時に軸体とともに回動するが、請求項５，６の発明では、このリード線を絶縁性材料からなる複数の突起同士間の間隙に挿入して係止し、該リード線の一端部を軸体の近傍に半田付けしたことから、軸体の回動時にリード線に無理な力が加わることがなく、またリード線の変位量を最小限に抑えることができるため、ふらついたりすることもないし、リード線から上記突起を介しての漏電が発生する心配もない。
【００２５】
請求項７に係る発明は、電池電力を用いる電源装置において、請求項５または６に記載の電池収納構造を備え、該電池収納構造に所定数の電池を所定の態様で収納することにより、これら電池の電力を、前記リード線を介して前記パワー基板に供給するようにしたので、これら請求項５または６に係る発明による効果が得られる電源装置が提供される。
【００２６】
請求項８の発明に係る電子機器は、請求項７の電源装置を備えているため、請求項５または６に係る発明による効果が得られる電子機器が提供される。
【００２７】
請求項９に係る発明では、軸体にねじりコイルバネを捲回し、ねじりコイルバネからの回動力を軸体に付与するように構成したから、押圧部材を強い力で適宜部材に圧接させることができる圧接機構を、簡単な構成で提供することができる。
【００２８】
請求項１０に係る発明では、ねじりコイルバネが複数、軸体に同軸上に設けられ、押圧部材付きのレバーが、ねじりコイルバネと同数、かつ該ねじりコイルバネの近傍に設けられているため、複数の押圧部材を複数の適宜部材に同時に圧接させることができる。
【００２９】
ところで本出願人は、上記した従来の電池収納装置の問題点を解消するべく、接触抵抗が低く、安定して電池の電力を取り出すことができる電池収納構造に関する技術をすでに開発した。
【００３０】
この電池収納構造では、図７に示すように、電池収納ケース７２内の電池７３の一端側に、電池７３を他端部方向に付勢するとともに導電性を有する円錐コイルスバネ７４を固定し、バネ７４の電池電極（正電極）７３ａと接触する側の端部に形成された屈曲端部７４ａにリード線７５を半田付け７６で接続し、リード線７５を、引き出し口７７を通して電池収納ケース７２の外部に取り出している。また、引き出し口７７は、バネ７４の変形時にリード線７５が自由に移動できる形状としている。
【００３１】
このような電池収納構造によれば、電池接点を円錐コイルバネ７４で形成し、このバネ７４と電池電極７３ａとの接触部分の直近にリード線を半田付けしているため電気抵抗が低下し、電池本来の電圧に近い電圧を電子機器の駆動部等に、安定供給することができるという利点がある。また、電池収納ケース７２への電池７３の出し入れ時にリード線７５等に負荷がかかることに起因する接触不良の発生を防止することができるという効果もある。
【００３２】
ところが、図７の電池収納構造では、円錐コイルバネ４が付勢部材と接点部材を兼ねた構造となっているため図５、図６に示す電池収納装置と同様に、高い付勢力と、高い導電性の両方を同時に満足することは難しいという不具合があった。また、円錐コイルバネによる接触構造では、図５の場合と同じく、上記「瞬断」を的確に防止するのが難しいという問題もあった。
【００３３】
これに対し、本発明に係る電池接点機構等によれば、上記したように、「瞬断」のトラブルを的確に防止することができるうえに、電池電力を効率良く取り出すことができるものである。
【発明を実施するための最良の形態】
【００３４】
本発明の実施の形態を、図面をもとに説明する。
図１は、電池接点機構および電池収納構造の要部平面図であって、電池収納室に電池を収納するときの状態を示すものである。図２は図１の正面図、図３は図１の右側面図である。図４は図１のうち、特に重要な構成部分を示す斜視図である。
【００３５】
この電池収納構造では、図略の電池収納室に電池接片２０と、下記構造の電池接点機構とを設ける。上記電池接片２０は、共通ベース２１上に板バネ２２ａ，２２ｂと、これら板バネ上に逆接点６ａ，６ｂとを設けて構成し、上記電池接点機構は、ねじりコイルバネ（以下、単にバネという場合がある）５ａ，５ｂによる付勢力を用いた圧接機構とする。
【００３６】
この電池接点機構は、上記電池収納室内に回動自在に支持された１本の軸体（回動軸）４と、この軸体４に捲回された上記ねじりコイルバネ５ａ，５ｂと、軸体４に設けられたレバー２ａ，２ｂと、これらのレバーに設けられてこれと一体的に回動自在な接点部材３ａ，３ｂとを設けて構成する。上記共通ベース２１、板バネ２２ａ，２２ｂ、逆接点６ａ，６ｂ、先端部を接点３ａ−１，３ｂ−１とした接点部材３ａ，３ｂおよび、バネ５ａ，５ｂは、いずれも金属製とするが、接点部材３ａ，３ｂおよび逆接点６ａ，６ｂは、高導電性金属材料（銅、銀、金、白金、ニッケル、またはこれらから選ばれた少なくとも一つの金属を含む合金）からなるものが好ましく、電池電力をより効率良く取り出すことができる。上記レバー２ａ，２ｂは絶縁体、例えば硬質プラスチック材料で構成する。
【００３７】
上記電池接点機構の構造について、更に詳細に説明する（特に図３を参照）。
上記電池収納室内に、両端部を直角に折り曲げて軸受け部７ａ，７ｂを形成した固定板７を設け、上記軸受け部７ａ，７ｂにより、上記軸体４を軸支する。この軸体４には、あらかじめ、上記接点部材３ａ付きで概ねＬ字型のレバー２ａ、バネ５ａ、接点部材３ｂ付きで概ねＬ字型のレバー２ｂおよびバネ５ｂを、軸体４の軸方向にこの順に並べた状態で設ける。この場合、バネ５ａ，５ｂは軸体４に捲回して固着し、該バネの一端部を固定板７の近傍に位置させ、他端部を、レバー２ａ，２ｂに形成された長穴１１ａ，１１ｂに挿入する。レバー２ａ，２ｂは、これに形成された貫通孔を軸体４に嵌入して固着する。
したがってバネ５ａ，５ｂは、その付勢力に基づくレバー２ａ，２ｂの回動力により接点部材３ａ，３ｂを、電池収納室に収納されている電池１ａ，１ｂの電極側（電池１ａの正電極１ａ−１側および、電池１ｂの負電極１ｂ−２側）に傾倒させて、上記電極に圧接させる機能を有している。
【００３８】
接点部材３ａ，３ｂは、軸体４の近傍に位置する基端部３ａ−２，３ｂ−２から上方に伸延する形状とし、レバー２ａ，２ｂに形成された貫通孔２ａ−１，２ｂ−１に挿入してこの挿入部分でレバーに固着するとともに、その伸延端部を電池１ａ，１ｂの電極に対する接点３ａ−１，３ｂ−１とする。また、上記基端部３ａ−２，３ｂ−２は、舌片状に形成するとともに、レバー２ａ，２ｂの下方部位に対して適宜間隔をあける。こうすることで、基端部３ａ−２，３ｂ−２を、電池を電池収納室にセットする場合の操作片とする。なお、この操作片による電池収納操作については後記する。
【００３９】
さらに、図３に示すように、レバー２ａ，２ｂの軸体４近傍部位に２つの突起（ボス）９ａ，９ａおよび９ｂ，９ｂを設け、これら突起同士間の間隙にリード線８ａ，８ｂを挿入係止し、該リード線の一端部を上記接点部材３ａ，３ｂの基端部３ａ−２，３ｂ−２に半田付け１０ａ，１０ｂするとともに、該リード線の他端部を図略のパワー基板に接続する。
【００４０】
つぎに、上記構造の電池接点機構および電池収納構造を備えた電子機器（デジタルカメラ、携帯電話等）の作用について説明する。
電池収納室に２本の電池１ａ，１ｂを、図１〜図４に示す状態にセットする。この場合、上記舌片状の基端部３ａ−２，３ｂ−２を同時に指で押圧することにより、バネ５ａ，５ｂを、その付勢力の向きと逆向きに、すなわち図２において時計回りに、適宜角度だけ軸体４と一体で回動させる。このとき、バネ５ａ，５ｂの上記他端部は、長穴１１ａ，１１ｂ内で（図３において上向きに）動く。これにより、接点部材３ａ，３ｂの接点３ａ−１，３ｂ−１と逆接点６ａ，６ｂの間の間隔が拡大されるので、この状態で電池１ａ，１ｂを上記接点と逆接点の間に挿入し、ついで基端部３ａ−２，３ｂ−２に対する押圧力を解除する。こうすることで、バネ５ａ，５ｂの付勢力により電池１ａ，１ｂが電子収納室に堅固に固定されるとともに、接点部材３ａの接点３ａ−１が電池１ａの正電極１ａ−１に、接点部材３ｂの接点３ｂ−１が電池１ｂの負電極１ｂ−２に、逆接点６ａが電池１ａの負電極１ａ−２に、逆接点６ｂが電池１ｂの正電極１ｂ−１に、それぞれ的確に接触し、電池１ａ，１ｂの電力がリード線８ａ，８ｂを介して図略のパワー基板に供給可能となる。
【００４１】
上記実施の形態によれば、（１）「瞬断」のトラブルを的確に防止することができるうえに、電池電力を効率良く取り出すことができる。また、接点部材を高導電性金属材料で作製することにより、電池電力を特に高い効率で取り出すことができる。（２）複数の電池の電極がレバー２ａ，２ｂを介して互いに導通してしまう不具合はない。（３）１本の軸体４に複数のねじりコイルバネを捲回した構成としたため、構造が簡単になるだけでなく、軸体４の取付けスパンを長くとることができ、さらに安定した軸体４の回動動作を得ることができる。（４）軸体４の回動時にリード線に無理な力が加わることがなく、またリード線の変位量を最小限に抑えることができるため、ふらついたりすることもないし、リード線から突起９ａ，９ｂを介しての漏電が発生する心配もないという、多くの効果が得られる。
【図面の簡単な説明】
【００４２】
【図１】本発明の実施の形態に係る電池接点機構および電池収納構造の要部平面図であって、電池収納室に電池を収納するときの状態を示すものである。
【図２】図１の正面図である。
【図３】図１の右側面図である。
【図４】図１のうち、特に重要な構成部分を示す斜視図である。
【図５】電池収納構造の第１従来例を示す要部正面図である。
【図６】電池収納構造の第２従来例を示す要部断面図である。
【図７】電池収納構造の要部正面図である。
【符号の説明】
【００４３】
１ａ，１ｂ    電池
１ａ−１    正電極
１ａ−２    負電極
１ｂ−１    正電極
１ｂ−２    負電極
２ａ，２ｂ    レバー
２ａ−１，２ｂ−１    貫通孔
３ａ，３ｂ    接点部材
３ａ−１，３ｂ−１    接点
３ａ−２，３ｂ−２    基端部
４    軸体（回動軸）
５ａ，５ｂ    ねじりコイルバネ
６ａ，６ｂ    逆接点
７    固定板
７ａ，７ｂ    軸受け部
８ａ，８ｂ    リード線
９ａ，９ｂ    突起（ボス）
１０ａ，１０ｂ    半田付け
１１ａ，１１ｂ    長穴
２０    電池接片
２１    共通ベース
２２ａ，２２ｂ    板バネ
【図１】
2005251527.tif 000003
【図２】
2005251527.tif 000004
【図３】
2005251527.tif 000005
【図４】
2005251527.tif 000006
【図５】
2005251527.tif 000007
【図６】
2005251527.tif 000008
【図７】
2005251527.tif 000009